(57)【要約】      （修正有）【課題】光量子エネルギーと漢方薬との相乗作用により身体の各種疾病等を改善し、健康状態の維持、更に美容効果を得る健康・美容増進装置を提供する。【解決手段】磁力発生部２、鉱石エネルギー発生部５、第１触媒機能部６、カラーエネルギー発生部７、第２触媒機能部８、漢方薬剤部９を順次に重ね合わせて配置する。磁力発生部２は、ベース盤３上に細線状の導電材４を螺旋状に巻回配置して成り、鉱石エネルギー発生部５は、所要の天然鉱石を粉末状にして含有させたインクを合成樹脂製シートに塗布して成り、カラーエネルギー発生部７は、鉱石エネルギー発生部５側から順次に赤色材層、橙色材層、黄色材層、緑色材層、青色材層、紺色材層、紫色材層を積層して成り、前記漢方薬剤部９は、所要の漢方薬剤を含有して成る。また、触媒機能部６，８は、金、銀粉末を含有、あるいは層状に重ね合たシリコン樹脂材、布帛によるシート材から成る。【選択図】図１
0003191541.tif 000002
【実用新案登録請求の範囲】
【請求項１】
磁力発生部、鉱石エネルギー発生部、第１触媒機能部、カラーエネルギー発生部、第２触媒機能部、漢方薬剤部を順次に重ね合わせて配置して成り、前記磁力発生部は、平板なベース盤上に細線状の導電材を螺旋状に巻回配置して成り、前記鉱石エネルギー発生部は、所要の天然鉱石を粉末状にして含有させたインクを合成樹脂製シートに塗布して成り、前記カラーエネルギー発生部は、鉱石エネルギー発生部側から順次に赤色材層、橙色材層、黄色材層、緑色材層、青色材層、紺色材層、紫色材層を積層して成り、前記漢方薬剤部は、所要の漢方薬剤を含有して成ることを特徴とする健康・美容増進装置。
【請求項２】
漢方薬剤は、オタネニンジンの果実エキス、王不留行の実の少なくともいずれか一方を含有させてある請求項１に記載の健康・美容増進装置。
【請求項３】
触媒機能部は、金、銀の少なくともいずれか一方が粉末状にして含有され、あるいは層状に重ね合わせられているシリコン樹脂材によるシート材から成る請求項１または２に記載の健康・美容増進装置。
【請求項４】
磁力発生部、鉱石エネルギー発生部、第１触媒機能部、カラーエネルギー発生部、第２触媒機能部、漢方薬剤部を順次に重ね合わせて配置すると共に外装材にて覆って成り、前記磁力発生部は、平板なベース盤上に細線状の導電材を螺旋状に巻回配置して成り、前記鉱石エネルギー発生部は、所要の天然鉱石を粉末状にして含有させたインクを合成樹脂製シートに塗布して成り、前記カラーエネルギー発生部は、鉱石エネルギー発生部側から順次に、６，０００〜７，０００（Ａｕ）波長の光量子エネルギーを発生する赤色材層、５，９００〜６，０００（Ａｕ）波長の光量子エネルギーを発生する橙色材層、５，５００〜５，９００（Ａｕ）波長の光量子エネルギーを発生する黄色材層、５，０００〜５，５００（Ａｕ）波長の光量子エネルギーを発生する緑色材層、４，７００〜５，０００（Ａｕ）波長の光量子エネルギーを発生する青色材層、４，７００〜４，６００（Ａｕ）波長の光量子エネルギーを発生する紺色材層、４，３００〜４，６００（Ａｕ）波長の光量子エネルギーを発生する紫色材層を積層して成り、前記漢方薬剤部は、所要の漢方薬剤を含有して成り、前記第１、第２の触媒機能部は、磁力発生部における磁力エネルギー、鉱石エネルギー発生部における鉱石エネルギー、カラーエネルギー発生部における色素エネルギーを４，３００〜７，０００（Ａｕ）波長の光量子エネルギーとして増強させるようにして成り、また前記外装材は、身体に装着させるときの装着部位に対する色素エネルギーの波長に対応させた適宜色としてあることを特徴とする健康・美容増進装置。
【考案の詳細な説明】
【技術分野】
【０００１】
この考案は、人体における各種の疾病を改善して健康状態を容易に維持できるようにするばかりでなく、美容にも効果があり、また、その使用も所要期間で患部その他に宛がう等だけでも良い等の簡便に使用でき、携帯も容易である健康・美容増進装置に関する。
【背景技術】
【０００２】
従来から、身体の各種の疾病を改善して健康状態を維持したり、美容を保ったりするための様々な健康食品、身体機能改善器具、健康具・健康装置等が提案されている。いわゆる健康食品としては、例えば各種の特定食品における機能改善成分を、更にはそれと他の有用な成分との混合によって錠剤状、液状、粉末状等の態様として提供されている。身体機能改善器具としては、身体の特定部位の筋力強化、体力維持等のため更には経絡・経穴、肌面等に対する刺激による美容効果を維持するための運動・美容器具、トレーニングマシンその他が提供され、それらの器具類を使用し、所定の身体負荷メニューを実践することで各人それぞれの身体能力の維持を図るようにしている。
【０００３】
また、いわゆる健康具・健康装置として、例えば電磁波、磁力、所定の鉱石からのいわゆるパワーストーンその他の自然界の理力を利用し、それによって身体患部例えば経絡・経穴等に宛がい、また押圧等によって血流の促進、その浄化、身体毒素の排出等を図ることで身体機能を全般的に改善・増進し、局部不全その他を解消して健康状態を維持しようとする。特にこのような自然界に存する、いわゆる自然パワー・エネルギーを利用することは、人造の特別に加工されたエネルギーを発生させる必要がなく、元来が無理のない自然エネルギーであることで人体への危害、損傷を与えることが少ないこともあり、身体改善更には美容効果に有益なものとして利用されている。
【先行技術文献】
【特許文献】
【０００４】
【特許文献１】特になし
【考案の概要】
【考案が解決しようとする課題】
【０００５】
ただ、このような自然エネルギーの身体への作用・機能は未だに十分には解明されていないとしても、これらを利用することで、従来から実際上では患部の疾病等が解消され、身体機能が改善されて健康状態を維持できることの例が多数紹介されている。しかしながら、従来においてはこれらの自然エネルギーを身体に付与するには、それらを充分に取り出せず、また患部その他に効率的に作用させるには困難であった。
【０００６】
そこでこの考案は上述したような従来存した諸事情に鑑み創出されたもので、その目的は、コイルによる磁力エネルギー、鉱石類から発生される鉱石エネルギー、色素材料からの色素エネルギー等による放射作用と、所定の漢方薬に対するホルミシス放射とによって身体の患部等を刺激し、分子・細胞・個体のそれぞれのレベルで活性化させることで身体、その患部等を改善し、健康状態を維持できるようにし、また美容にも効果がある健康・美容増進装置を提供することにある。
【課題を解決するための手段】
【０００７】
上述した課題を解決するため、この考案にあっては、磁力発生部２、鉱石エネルギー発生部５、第１触媒機能部６、カラーエネルギー発生部７、第２触媒機能部８、漢方薬剤部９を順次に重ね合わせて配置して成り、前記磁力発生部２は、平板なベース盤３上に細線状の導電材４を螺旋状に巻回配置して成り、前記鉱石エネルギー発生部５は、所要の天然鉱石を粉末状にして含有させたインクを合成樹脂製シートに塗布して成り、前記カラーエネルギー発生部７は、鉱石エネルギー発生部５側から順次に赤色材層、橙色材層、黄色材層、緑色材層、青色材層、紺色材層、紫色材層を積層して成り、前記漢方薬剤部９は、所要の漢方薬剤を含有して成ることを特徴とする。
漢方薬剤は、オタネニンジンの果実エキス、王不留行の実の少なくともいずれか一方を含有させることで構成することができる。
触媒機能部６，８は、金、銀の少なくともいずれか一方が粉末状にして含有され、あるいは層状に重ね合わせられているシリコン樹脂材によるシート材によって形成して構成することができ、また、布帛材によって形成することもできる。
【０００８】
以上のように構成されたこの考案に係る健康・美容増進装置にあって、重ね合わせて順次に形成配置された磁力発生部２、鉱石エネルギー発生部５、カラーエネルギー発生部７によって光量子エネルギーを生成させ、この放射される光量子エネルギーが漢方薬剤部９による漢方薬成分と共に身体の疾病部位・患部その他に作用される。疾病部位・患部には、カラーエネルギー発生部７における各色材層におけるそれぞれで異なる色波長が、身体における各部の臓器その他に各別に作用する。
光量子エネルギーは、触媒機能部６，８における非接触触媒機能と相俟ち、自然な超微弱振動エネルギーであり、これが対象物である身体各部における細胞それぞれの原子核に到達し、それらに生じている歪んだ振動を修正して正常状態に戻し、本来の機能回復と活性化とを促進させる。
金、銀の少なくともいずれか一方が粉末状に含有され、あるいは層状に重ね合わせられているシリコン樹脂材によるシート材から成る触媒機能部６，８は、磁力発生部２、鉱石エネルギー発生部５、カラーエネルギー発生部７、漢方薬剤部９等を重ね合わせ配置させ、磁力エネルギー、鉱石エネルギー、色素エネルギー等を一層増強させる。
また、身体への装着部位への超微振動刺激が身体に作用し、装着部位からの神闕・気海・石門・中極・関元・曲骨等の経穴（ツボ）に刺激を与え、例えば婦人病、冷え性、不妊、便秘、残尿感・尿漏れ、性機能弱・性機能減退・性機能不全、前立腺機能障害等を改善させる。
【考案の効果】
【０００９】
この考案は以上説明したように構成されているため、磁力エネルギー、鉱石エネルギー、色素エネルギーを発生するよう重ね合わせ形成して配置構成することで生成される光量子エネルギーと、所要の漢方薬剤とによる相乗作用によって身体の患部等を刺激し、分子・細胞・個体それぞれのレベルで活性化させることで身体、その患部等を改善し、身体の健康状態を維持でき、また肌その他に対する美容効果も奏する。
【００１０】
すなわち、これはこの考案において、磁力発生部２、鉱石エネルギー発生部５、第１触媒機能部６、カラーエネルギー発生部７、第２触媒機能部８、漢方薬剤部９を順次に重ね合わせて配置し、前記磁力発生部２は、ベース盤３上に導電材４を螺旋状に巻回配置して成り、前記鉱石エネルギー発生部５は、粉末状の天然鉱石を含有して成り、前記カラーエネルギー発生部７は、赤色材層、橙色材層、黄色材層、緑色材層、青色材層、紺色材層、紫色材層を積層して成り、前記漢方薬剤部９は、漢方薬剤を含有して成るものとしたからである。これにより、身体における疾病部位への宛がい装着、あるいは例えばこの考案増進装置上に載置することで活性化させた飲用水の飲用、同じく用水による洗浄その他によって当該部位の身体機能の改善が図られ、また健康を維持してその亢進による肌艶等を改善する美容効果が得られる。
【００１１】
また、漢方薬剤部９における漢方薬剤は、オタネニンジンの果実エキス、王不留行の実の少なくともいずれか一方を含有させてあることで、それらによる薬効が光量子エネルギーによって増進され、光量子エネルギーによる身体の細胞単位での振動と相俟ち疾病部位・患部等を一層刺激し、異常であれば正常状態に戻し、増進によって健康状態の維持に役立たせる。
【００１２】
鉱石エネルギー発生部５とカラーエネルギー発生部７との間に介在の第１触媒機能部６、カラーエネルギー発生部７と漢方薬剤部９との間に介在の第２触媒機能部８それぞれは、金、銀の少なくともいずれか一方が粉末状にして含有され、あるいは層状に重ね合わせられているシリコン樹脂材によるシート材から成るから、これらの上下に層状にして配置した各部それぞれを区画し、磁力発生部２側からのエネルギーを透過させて漢方薬剤部９を経て身体の装着部位に作用させることができる。また、金、銀によってそれらの磁力エネルギー、鉱石エネルギー、色素エネルギーそれぞれを増強させ、身体の疾病部位、患部等に効率的に作用する。
【００１３】
尚、上記の課題を解決するための手段、考案の効果の項それぞれにおいて付記した符号は、図面中に記載した構成各部を示す部分との参照を容易にするために付した。この考案は、これらの記載、図面中の符号等によって示された構造・形状等に限定されない。
【図面の簡単な説明】
【００１４】
【図１】この考案を実施するための一形態を示す分解斜視図である。
【図２】同じく一部省略の断面図である。
【図３】同じく磁力発生部の概要図である。
【図４】同じく身体への装着例を示す斜視図である。
【考案を実施するための形態】
【００１５】
以下、図面を参照してこの考案を実施するための一形態を説明すると、図において示される符号１は所定大きさで、例えば磁性と導電性がない長方形状にした布帛製の基材であり、この基材１上に磁力発生部２を配装してある。この磁力発生部２は、平板なベース盤３上に細線状の銅線、あるいは磁性体を含有する樹脂組成物の印刷・塗布等による導電材４を螺旋状に巻回配置して成り、例えば一辺が２５ｍｍとなるほぼ正方形状で、隣接させて対状に配置したベース盤３上に導電材４を例えば１７巻きあるいは２３巻きにして配置すると共に、それぞれのベース盤３上の導電材４を連続させておき、配置した導電材４を内側にして重ね合わせるように隣接部分にて折曲形成したもので、いわゆるペーパーコイル構成としてある。図示にあっての磁力発生部２は、一対で重ね合わせたベース盤３を例えば３組にして基材１上に隣接配置し、例えば接着等によって固定状態で配装してある。
【００１６】
この磁力発生部２において、導電材４は対となるベース盤３を重ね合わせると共に、導電材４の外周端部同士を接続し、この接続した導電材４に通電したときの電磁場がＮＳＳＮまたはＳＮＮＳとなるようにし、これによって磁場がゼロとなる場所（ゼロ磁場）が形成され、また３０〜５０ミリガウスの磁力が発生されている。
【００１７】
この磁力発生部２は、基材１とほぼ同様な大きさ、形状の平板層状の鉱石エネルギー発生部５によって、この鉱石エネルギー発生部５を基材１に接着することで覆われている。この鉱石エネルギー発生部５は、例えばＣ、Ｓｉ、Ｔｉ、Ｃｏ、Ｚｎ、Ａｕ、Ｍｇ、Ｓｅ、Ａｇ、Ｔｈ、Ｋｒ、Ｎｄ、Ｐｔ等の元素を含む所要の天然鉱石、例えばチタン、トルマリン、コバルトを粉末状にして含有させたインクを合成樹脂製シート例えばポリエチレンフィルムに塗布することで形成されており、これらの鉱石の元素の組合せは特に限定されない。磁力発生部２による磁力によってこれらの鉱石の元素が振動され、超微弱振動が外部に作用されるようになっている。
【００１８】
鉱石エネルギー発生部５上には、金、銀の少なくともいずれか一方を粉末状にして含有して成る、あるいは例えば金箔を層状に重ね合わせたシリコン樹脂材によるシート状の第１触媒機能部６を介在させてカラーエネルギー発生部７を設けてある。このカラーエネルギー発生部７は、鉱石エネルギー発生部５側から順次に、虹色として分解される赤色材層、橙色材層、黄色材層、緑色材層、青色材層、紺色材層、紫色材層を配してあり、これらの色素材を有するよう、染色された例えば布帛材を積層して成る。これらの色素材層は、例えば赤色であると光量子エネルギーとして６，０００〜７，０００（Ａｕ）波長によって人体における生殖腺部位である尾骨、仙骨に対して作用する。橙色であると同じく５，９００〜６，０００（Ａｕ）波長によって人体における脾臓、下腹神経叢に対して作用する。黄色であると同じく５，５００〜５，９００（Ａｕ）波長によって人体における副腎、膵臓等の上腹部の太陽神経叢に対して作用する。緑色であると同じく５，０００〜５，５００（Ａｕ）波長によって人体における胸腺、心臓に対して作用する。青色であると同じく４，７００〜５，０００（Ａｕ）波長によって人体における甲状腺、副甲状腺、咽頭、頸部の叢に対して作用する。紺色であると同じく４，７００〜４，６００（Ａｕ）波長によって人体における脳下垂体、頸動脈、延髄に対して作用する。紫色であると同じく４，３００〜４，６００（Ａｕ）波長によって人体における松果体、脳の樹枝上突起に対して作用する。このように、それぞれの色素材層による色素エネルギーが人体の各部それぞれに対して作用し、それらの部位の機能を改善し、増進するようにしている。
【００１９】
また、このカラーエネルギー発生部７上には、布帛状の第２触媒機能部８を介在させて所要の漢方薬剤が含有されている漢方薬剤部９が配装されている。この漢方薬剤部９は、例えばオタネニンジン（ウコギ科の多年草）の果実エキス、王不留行（ナデシコ科のフシグロ属植物の全草）の実等の少なくともいずれか一方を成分として含有させて顆粒状となしてある。そして、第２触媒機能部８上に、好ましくは前記磁力発生部２における１組のベース盤３それぞれの配置に対応して、所定数で纏められることでいわば塊形態となった漢方薬剤部９それぞれが配置されることで、これらの漢方薬成分による人体への作用を一層増進発揮させるようにしている。この漢方薬剤部９は、例えば円形錠剤状を呈する固形形態、あるいは適宜形状での包装形態等に形成されていることもあり、漢方薬剤部９は第２触媒機能部８とほぼ同形状の布帛等のカバー部１０によって覆われている。尚、第２触媒機能部８は、第１触媒機能部６と同様に金、銀の少なくともいずれか一方を粉末状にして含有して成る、あるいは例えば金箔を層状に重ね合わせたシリコン樹脂材によるシート状とすることもできる。
【００２０】
この漢方薬剤部９における漢方薬成分はオタネニンジンの果実エキス、王不留行の実等に特に限定されないが、オタネニンジンの果実エキスであると、ジンセノサイドというサポニン群の薬効成分によって、ジンセノサイドＲｂｃ系、同Ｒｇ1 系のバランス作用で、疲労解消、精力減退の回復・増強、免疫力の増強、ガン細胞の増殖抑制、貧血改善、血圧のコントロール（高血圧・低血圧の改善）、動脈硬化・高脂血症・血栓の予防・改善、糖尿病とその合併症の予防・改善、更年期障害や不定愁訴の改善、血流改善、冷え性の治癒、肝臓の修復力向上、肝臓病の改善、痴呆予防、脳細胞の賦活化、ダイエット効果と水分調節作用等を図る。また、王不留行の実であると、利尿作用を利用した尿道結石・前立腺炎等の解消、活血通経作用による生理痛の解消、産後の授乳改善等を図る。
【００２１】
このようにして、基材１、磁力発生部２、鉱石エネルギー発生部５、第１触媒機能部６、カラーエネルギー発生部７、第２触媒機能部８、漢方薬剤部９、カバー部１０が順次に重ね合わせられ、いわば層状に配置された状態で、これらの全体が例えばエネルギー発散効率が良好な金色あるいは銀色の外装材１１によって覆われ、被装される。尚、外装材１１は、金色、銀色に限らず、青色、緑色、赤色その他の適宜色であっても良く、身体に装着させるときの装着部位に対する色素エネルギーの波長に対応させておくと良い。例えば、性器・仙骨がある下腹部位に装着するには赤色の、脾臓上部位に装着するには橙色の、脾臓・態様神経叢部位に装着するには黄色の、心臓部位に装着するには緑色の、のど部位に装着するには青色の、眉間部位に装着するには紺色の、脳天部位に装着するには紫色の外装材１によって覆われたものがそれぞれ対応するように形成される。
【００２２】
尚、磁力発生部２、鉱石エネルギー発生部５、カラーエネルギー発生部７による前記の光量子エネルギーは、ホルミシス放射を一層活性化させ、これによって老化抑制、がん抑制、生体防御機能の活性化、遺伝子損傷修復機能の活性化が得られるようにしている。身体細胞における分子レベルでは、ＳＯＤ活性の亢進・グルタチオンの増加・解毒能の亢進となる抗酸化能の上昇、ＤＮＡ損傷の修復・ＤＮＡ修復酵素の活性化となるＤＮＡ修復能の促進、遺伝子発現の変化、がん抑制遺伝子産物ｐ５３増加・ストレスタンパク質の誘導合成となるタンパク質の誘導合成、脂質過酸化の低減となる細胞膜の構造、機能変化がある。細胞レベルでは、細胞増殖促進・染色体異常の低下・細胞死抑制となる適応応答の誘導、幼若化反応の亢進・サントカイン産生の亢進・アポトーシスの増加・リンパ球のアポトーシスとなる免疫能の活性化、カルシウムイオンの関与・ＰＫＣの関与となる細胞情報伝達系の関与がある。固体レベルでは、がん転移の抑制・放射線発がん、化学発がんの発生低減、遅延となる制がん、抗がん作用、高血糖値の低下・実験糖尿病の発現遅延となる疾病抑制、放射線誘発致死の抑制・放射線誘発奇形の低減となる放射線抵抗性の誘導、心理ストレスの低減となる中枢神経系への効果、がん以外の死亡率の低下があるようになっている。
【００２３】
このホルミシス作用と漢方薬剤部９とからのエネルギー放射によって、光量子エネルギーを人体細胞の原子核に到達させ、歪んだ振動を修正して正常に戻し、その増進によって健康状態の維持に役立たせるようにしている。
【００２４】
次にこれの使用の一例を説明すると、図４に示すように、例えば下腹部周囲を覆うように、例えば面ファスナーによって着脱自在にした装着帯（ガードル）２０に形成した収納ポケット部２１に収納し、漢方薬剤部９側を身体側に向けて下腹部に宛がうようにして身体に装着使用する。また、図示を省略したが、各種下着・肌着・ランジェリー類に形成したポケット部、アイマスク、ヘアバンド、サポータその他によって身体における疾病箇所に対応して頭部、顔面部、腰背部、咽頭部、胸部、背部、腹部、大腿部、ふくらはぎ部、脚部、腕部その他の各部位に装着するのであり、場合によっては就寝時の枕下等に載置すする。更にはこの考案に係る増進装置上に、飲用水等を収容した容器を所定時間で載置した後にその飲用水を飲用したり、あるいはその用水にて患部を洗浄したりしても良い。
【００２５】
この考案増進装置の使用に際し、図示を省略したいわゆる宇宙エネルギー放射装置から放出される宇宙エネルギーによって磁力発生部２における導電材４に対してこれを刺激し、鉱石エネルギー発生部５、カラーエネルギー発生部７を経て所定の色素エネルギーを発生させるようにしても良い。すなわち、所定の左右対称逆巻コイルに直流あるいは交流を印加することで、磁場も発生せず、電磁波も発生させないで宇宙エネルギーを発生させる宇宙エネルギー放射装置を備えた治療室内で、患者の疾病部位に関連する身体部位に装着させて使用することも可能であり、より一層の治癒作用が得られる（図示せず）。
【００２６】
また、人体のみならず、花瓶に活けた飾り花等の生け花、植栽物、犬・猫等のペットの愛玩動物その他に適用しても良いのである。
【００２７】
ここで、この考案に係る増進装置を身体各部の各種疾病に対し、その患部等に対応して宛がうように装着したり、あるいは睡眠時の枕下あるいは枕上に載置したり、飲用したり、あるいは患部を洗浄したりして使用した結果を表１に示す。
【表１】
0003191541.tif 000003
【符号の説明】
【００２８】
１…基材                                ２…磁力発生部
３…ベース盤                            ４…導電線材
５…鉱石エネルギー発生部                ６…第１触媒機能部
７…カラーエネルギー発生部              ８…第２触媒機能部
９…漢方薬剤部                          １０…カバー部
１１…外装材
２０…装着帯                            ２１…収納ポケット部
【図１】
0003191541.tif 000004
【図２】
0003191541.tif 000005
【図３】
0003191541.tif 000006
【図４】
0003191541.tif 000007